(57)【要約】【課題】レンズ枠の内部に固定されるレンズの間隔を決める間隔環が反対向きに取り付けられたことを、組み立て完了前に発見し得るレンズ装置及び光学アクセサリを提供する。【解決手段】第１のレンズ(102)と第２のレンズ(106)との間には間隔環(104)が挿入される。間隔環の後側面(104A)は傾斜面(104C)が設けられ、レンズ枠(100)の第１のレンズを固定する固定部(116)のフランジ面は傾斜形状(118C)が形成されている。レンズ枠に対して間隔環を所定の向きに取り付けると、レンズ枠の傾斜形状と間隔環の傾斜部が嵌合し、間隔環が所定の位置に固定される。一方、間隔環を反対向きに取り付けると間隔環の前側面（略垂直面）がレンズ枠の傾斜形状と間隔環の傾斜部が嵌合せず、間隔環を所定位置まで挿入することができない。かかる構造により間隔環が所定の向きに取り付けられたか否かを目視等により認識することが可能となる。【選択図】  図３
2011221300.tif 000002
【特許請求の範囲】
【請求項１】
複数のレンズが光軸方向に並ぶように固定される内部構造を有するレンズ枠と、
前記レンズ枠に固定される第１のレンズと、
前記レンズ枠に固定される第２のレンズと、
前記第１のレンズと前記第２のレンズとの光軸方向における間隔を決めるために前記第１のレンズと前記第２のレンズとの間に設けられる間隔環と、
を備え、
前記間隔環は、前記第１のレンズを支持する第１の面の前記レンズ枠に支持される位置に傾斜部が設けられるとともに、前記第２のレンズを支持する第２の面が前記レンズ枠の前記第１の面を支持する位置の形状と異なる形状を有し、
前記レンズ枠は、前記間隔環の第１の面を支持する位置に前記第１の面の傾斜部に対応する形状が設けられることを特徴とするレンズ装置。
【請求項２】
請求項１に記載のレンズ装置において、
前記レンズ枠の前記間隔環の第１の面を支持する位置の形状は、前記第１の面の傾斜部と嵌合する傾斜形状であることを特徴とするレンズ装置。
【請求項３】
複数のレンズが光軸方向に並ぶように固定される内部構造を有するとともに、レンズ装置に取り付けるための取付部を具備するレンズ枠と、
前記レンズ枠に固定される第１のレンズと、
前記レンズ枠に固定される第２のレンズと、
前記第１のレンズと前記第２のレンズとの光軸方向における間隔を決めるために前記第１のレンズと前記第２のレンズとの間に設けられる間隔環と、
を備え、
前記間隔環は、前記第１のレンズを支持する第１の面の前記レンズ枠に支持される位置に傾斜部が設けられるとともに、前記第２のレンズを支持する第２の面が前記レンズ枠の前記第１の面を支持する位置の形状と異なる形状を有し、
前記レンズ枠は、前記間隔環の第１の面を支持する位置に前記第１の面の傾斜部に対応する形状が設けられることを特徴とする光学アクセサリ。
【発明の詳細な説明】
【技術分野】
【０００１】
本発明はレンズ装置及び光学アクセサリに係り、特にレンズ鏡筒内にレンズを固定する際に該レンズの姿勢を維持して固定するために用いられる間隔環の構造及びレンズ装置の組み立て技術に関する。
【背景技術】
【０００２】
一般に、複数のレンズを備えたレンズ装置では、レンズ枠に対してレンズ間の間隔を決める部品としてレンズ間に間隔環と呼ばれるリング形状の部材が挿入される。
【０００３】
特許文献１には、レンズ室に嵌合される第１のレンズと、２枚のレンズを同軸で貼り合わせた構造を有し、該第１のレンズと同軸で嵌合される第２のレンズと、第１のレンズと第２のレンズとの間の空気間隔を所定値に保持すべく両レンズ間でレンズ室に嵌合される間隔環と、を備えたレンズ装置が開示されている。特許文献１に開示されたレンズユニットは、第２のレンズを構成する２つのレンズのうち、第１のレンズ側のレンズを他のレンズよりも径が小さい形状とし、間隔環に小径のレンズの周面とレンズ室との間に挿通させる挿通部を設け、該挿通部により間隔環の軸方向の長さを長くして光軸に対する倒れを少なくするように構成されている。
【先行技術文献】
【特許文献】
【０００４】
【特許文献１】特開平９−１９７２３８号公報
【発明の概要】
【発明が解決しようとする課題】
【０００５】
しかしながら、間隔環をレンズ枠に組み付ける際に挿入向きを反対にしてしまうと、レンズ間の間隔が狂ってしまうので、当該レンズ装置の所定の性能を得ることができなくなってしまう。一方、間隔環はレンズ枠の内部とのガタが極力少なくなるように構成されているので、レンズ枠に間隔環を組み付けるときに、作業者が間隔環を反対向きに挿入したことに気付かずに組立を進めてしまうことがあり得る。そうすると、間隔環を組み付ける工程の後の組立工程や検査工程において該間隔環が正しい向き組み付けられていないことが判明し、組み立て途中のレンズ装置や組み上がったレンズ装置を一旦分解して間隔環を正しい向きに入れ直し、再度組み立てを行わなければならない。
【０００６】
一方、特許文献１に係る発明は、間隔環が軸方向について非対称形状であるために、作業者が注意すれば反対向きに挿入してしまうことをある程度防止できるものの、作業者の注意力に委ねられてしまう。仮に、間隔環を反対向きに挿入してしまうと、上述したようにそのまま気が付かずに作業が進められてしまうことが懸念される。すなわち、特許文献１は間隔環を反対向きに挿入することについての対策を開示又は示唆していない。
【０００７】
本発明は、このような事情に鑑みてなされたもので、レンズ枠の内部に固定されるレンズの間隔を決める間隔環が反対向きに取り付けられたことを、組み立て完了前に発見し得るレンズ装置及び光学アクセサリを提供することを目的とする。
【課題を解決するための手段】
【０００８】
上記目的を達成するために、本発明に係るレンズ装置は、複数のレンズが光軸方向に並ぶように固定される内部構造を有するレンズ枠と、前記レンズ枠に固定される第１のレンズと、前記レンズ枠に固定される第２のレンズと、前記第１のレンズと前記第２のレンズとの光軸方向における間隔を決めるために前記第１のレンズと前記第２のレンズとの間に設けられる間隔環と、を備え、前記間隔環は、前記第１のレンズを支持する第１の面の前記レンズ枠に支持される位置に傾斜部が設けられるとともに、前記第２のレンズを支持する第２の面が前記レンズ枠の前記第１の面を支持する位置の形状と異なる形状を有し、前記レンズ枠は、前記間隔環の第１の面を支持する位置に前記第１の面の傾斜部に対応する形状が設けられることを特徴とする。
【発明の効果】
【０００９】
本発明によれば、第１のレンズと第２のレンズとの光軸方向における間隔を決めるための間隔環の第１のレンズを支持する第１の面に傾斜面が設けられるとともに、レンズ枠の間隔環の第１の面と当接する位置に該第１の面に設けられる傾斜面に対応する傾斜形状が設けられるので、間隔環を反対向きに挿入すると第１のレンズが固定されず、間隔環が反対向きに挿入されたことが認識される。
【図面の簡単な説明】
【００１０】
【図１】本発明の実施形態に係るワイドコンバータが搭載された撮影レンズの全体構造を示す斜視図
【図２】図１の撮影レンズから本発明の実施形態に係るワイドコンバータを分離した状態を示す斜視図
【図３】図１、２に示すワイドコンバータの内部構造を示す断面図
【図４】図３に示すワイドコンバータの一部拡大図
【図５】図１〜４に示すワイドコンバータに適用されるレンズ枠の立体構造を示す斜視断面図
【図６】図１〜４に示すワイドコンバータに適用される間隔環の全体構造を示す斜視図
【図７】間隔環が反対向きに組み付けられた状態のワイドコンバータを示す断面図
【図８】図１〜４に示すワイドコンバータの組み立て方法を説明する図
【図９】レンズ鏡胴から前面アクセサリを取り外した状態を示す図
【図１０】鏡胴側装着部の係合部を示した斜視図
【図１１】アクセサリ側装着部の係止爪及び凹部を示した斜視図
【図１２】アクセサリ側装着部を鏡胴側装着部に装着した状態を示した断面図
【図１３】アクセサリ装着部のロック機構の構成を示した斜視図
【図１４】ロック機構のロック解除状態を示した断面図
【図１５】ロック機構のロック状態を示した断面図
【図１６】ロック機構のストッパの外観を示した斜視図
【図１７】ロック機構のロック状態でのストッパとガイド溝との係合状態を示した斜視図
【発明を実施するための形態】
【００１１】
以下、添付図面に従って本発明に係るレンズ装置の好ましい実施の形態について詳述する。
【００１２】
〔撮影レンズの全体構成の説明〕
図１は、本発明に係るレンズ装置（ワイドコンバータ）が適用される撮影レンズの斜視図であり、図２は、図１の撮影レンズからワイドコンバータを分離した状態を示す図である。
【００１３】
図１に示す撮影レンズ１０は、放送用又は業務用として取材などで携帯されるＥＮＧカメラ等のレンズ装置であり、前面アクセサリとしてワイドコンバータ１２が取り付け可能に構成されている。撮影レンズ１０は、後端（図中右側端）のマウント部１４によりカメラ装置と着脱可能に装着されるレンズ装置であり、主としてレンズ鏡胴１６と駆動ユニット１８とから構成されている。
【００１４】
レンズ鏡胴１６は、前方側（対物側）から入射される被写体光を集光してカメラ装置の撮像面に被写体像を結像する撮影光学系を内部に保持しており、その撮影光学系の構成部品として、図示しないフォーカスレンズ（群）、ズームレンズ（群）、絞り、リレーレンズ（群）等を備えている。
【００１５】
また、レンズ鏡胴１６は、外周部に回動可能なフォーカスリング２０、ズームリング２２、アイリスリング２４を備えており、フォーカスリング２０を回動操作すると、前記フォーカスレンズが光軸に沿って前後移動してピント位置が変化し、ズームリング２２を回動操作すると、前記ズームレンズが光軸に沿って前後移動して焦点距離が変化し、アイリスリング２４を回動操作すると、前記絞りが開閉動作して絞り値が変化するようになっている。さらに同図のレンズ鏡胴１６は、後部にエクステンダー２６を備えており、図示しないレバーを回動操作することによって、例えば、１倍と２倍といったように像倍率を切り替えることができる。
【００１６】
駆動ユニット１８は、レンズ鏡胴１６の側面に取り付けられており、その駆動ユニット１８のケーシング内部には、レンズ鏡胴１６のフォーカスリング２０、ズームリング２２、アイリスリング２４の各々を動作させる機構、該動作機構と連結されるモータ、当該モータを駆動制御する制御回路等が内蔵されている。また、説明を省略するが駆動ユニット１８のケーシングの外面にはレンズ操作のための各種操作部材（レバー、ボタン等）が設けられており、該操作部材を操作することによりフォーカスレンズ、ズームレンズ、アイリスレンズを動作させることができる。
【００１７】
図１のレンズ鏡胴１６の先端部（図中左側端の被写体側）には、ワイドコンバータ１２が取り付けられている。ワイドコンバータ１２は、レンズ鏡胴１６から着脱可能な構造を有し、ワイドコンバータ１２の代わりに他の種類の前面アクセサリ（例えば、他のコンバージョンレンズ）をレンズ鏡胴１６の先端部に装着することができるようになっている。
【００１８】
前面アクセサリとしてのコンバージョンレンズの一例を挙げると、撮影光学系の焦点距離を所定倍率分、広角側にシフトさせるワイドコンバータの他に、撮影光学系の焦点距離を所定倍率分、望遠側にシフトさせるテレコンバータ、画面のアスペクト比を１６：９から４：３にした時に変化する画像サイズを本来のサイズにするレシオコンバータなどが挙げられる。
【００１９】
これらの前面アクセサリとレンズ鏡胴１６とは、前面アクセサリ側に設けられたアクセサリ側装着部（図３に符号１１４を付して図示）と、レンズ鏡胴１６の先端に設けられた鏡胴側装着部（図２に符号３０を付して図示）と、からなる着脱機構によって着脱できるようになっており、該アクセサリ側装着部は交換可能とする任意の種類の前面アクセサリにおいて同一の基本構造を有して形成され、該鏡胴側装着部も、それらの前面アクセサリを装着可能とする任意の種類のレンズ鏡胴において同一の基本構造を有して形成されている。
【００２０】
図２は、レンズ鏡胴１６からワイドコンバータ１２を取り外した状態を示す図である。同図に示すように、レンズ鏡胴１６は先端部１６Ａにワイドコンバータ１２を取り付けるための鏡胴側装着部３０が設けられている。鏡胴側装着部３０は、ワイドコンバータ１２の後端部に設けられるアクセサリ側装着部（図３に符号１１４を付して図示）と連結される。
【００２１】
鏡胴側装着部３０の構造例を挙げると、レンズ鏡胴１６の先端部に円筒状に突出形成された円筒部３２と、該円筒部３２の外周面上において等間隔の３箇所に同一構造で形成された係合部３４とを有している。図２は、３つの係合部３４のうちの１つのみが図示されている。一方、ワイドコンバータ１２に設けられるアクセサリ側装着部は、係合部３４に対応する構造が設けられている。かかる構造を有するワイドコンバータ１２の後端部にレンズ鏡胴１６の先端部の円筒部３２を挿入し、ワイドコンバータ１２を所定の方向に回転させると、鏡胴側装着部３０とアクセサリ側装着部が連結されるとともにロックされる。
【００２２】
〔ワイドコンバータの説明〕
図３は、図１、２に図示したワイドコンバータ１２の内部構造を示す断面図である。図３に示すワイドコンバータ１２は、左側が物体（被写体）側であり、右側が像側（レンズ側）である。以降の説明では、ワイドコンバータ１２の物体側を「前側」、像側を「後側」と記載することがある。
【００２３】
ワイドコンバータ１２は、内部にレンズ等を固定するための構造が設けられたレンズ枠１００と、レンズ枠１００最も後側に固定される第１のレンズ１０２と、第１のレンズ１０２の前側面１０２Ａを支持する間隔環１０４と、間隔環１０４によって第１のレンズ１０２との間の光軸方向における間隔が決められて固定される第２のレンズ１０６と、第２のレンズ１０６の前側面１０６Ａを支持する押え環１０８と、第２のレンズ１０６の前側に固定される第３のレンズ１１０と、第３のレンズ１１０の前側面１１０Ａを支持する押え環１１２と、を具備している。
【００２４】
レンズ枠１００は、後側端部にレンズ鏡胴１６（図１参照）と連結するためのアクセサリ側装着部１１４が設けられるとともに、第１のレンズ１０２が固定される固定部１１６と、間隔環１０４及び第２のレンズが固定される固定部１１８、押え環１０８が固定される固定部１２０、第３のレンズが固定される固定部１２２、押え環１１２が固定される固定部１２４が設けられている。
【００２５】
レンズ枠１００の内部に設けられた固定部１１６〜１２４は、第１〜第３のレンズ１０２，１０６，１１０及び間隔環１０４、押え環１０８，１１２の外形に対応する凹部として形成されている。すなわち、固定部１１６の内周の直径は第１のレンズ１０２の直径と略同一であり、固定部１１８の内周の直径は間隔環１０４の外周の直径及び第２のレンズ１０６の直径と略同一である。さらに、固定部１２０，１２２，１２４の内周の直径は、それぞれ押え環１０８の外周の直径、第３のレンズ１１０の直径、押え環１１２の外周の直径と略同一である。かかる内部構造を有するレンズ枠１００に固定される第１のレンズ１０２、及び第２のレンズ１０６、第３のレンズ１１０は、それぞれの光軸が一致するように固定される。
【００２６】
第１のレンズ１０２は、後側面１０２Ｂが固定部１１６のフランジ面に支持されるとともに、前側面１０２Ａが間隔環１０４の後側面１０４Ｂによって支持される。間隔環１０４は、第１のレンズ１０２と第２のレンズ１０６との光軸方向における間隔を決めるために、第１のレンズ１０２と第２のレンズとの間に設けられている。この間隔環１０４は、レンズ枠１００の固定部１１８の内周の直径に対応する外周の直径を有する円環状の部材であり、後側面１０４Ｂにより第１のレンズ１０２の前側面１０２Ａを支持するとともに、前側面（第２の面）１０４Ａにより第２のレンズの後側面１０６Ｂを支持する。
【００２７】
間隔環１０４の後側面１０４Ｂにおける開口の直径は、第１のレンズ１０２の直径未満であり、かつ、間隔環１０４の前側面１０４Ａおける開口の直径は、第２のレンズ１０６の直径未満である。すなわち、第１のレンズ１０２の前側面１０２Ａの外縁部は間隔環１０４の後側面１０４Ｂによって支持され、第２のレンズ１０６の後側面１０６Ｂの外縁部は間隔環１０４の前側面１０４Ａによって支持される。
【００２８】
第２のレンズ１０６の前側面１０６Ａは、押え環１０８によって支持される。押え環１０８は、第２のレンズ１０６の前側面１０６Ａにおける外縁部の形状（角形状）に対応する凹形状が設けられている。第２のレンズ１０６の前側に設けられた固定部１２２には、第３のレンズ１１０が支持され、第３のレンズ１１０の前側面１１０Ａは、押え環１１２によって支持される。
【００２９】
次に、第１のレンズ１０２及び第２のレンズ１０６を支持し、かつ、第１のレンズ１０２と第２のレンズ１０６との間隔を決める間隔環１０４について詳細に説明する。図４は、図３の一部拡大図であり、第１のレンズ１０２、間隔環１０４、第２のレンズ１０６の固定構造が拡大して図示されている。また、図５はレンズ枠１００の斜視断面図であり、図６は間隔環１０４の斜視図である。以下の説明において先に説明した部分と同一又は類似する部分には同一の符号を付し、その説明は省略する。
【００３０】
図４及び図６に示すように、間隔環１０４は後側面１０４Ｂに面取り加工が施され傾斜面１０４Ｃが形成されている。一方、間隔環１０４の前側面１０４Ａは特別な加工が施されていない面（略垂直面）となっている。なお、間隔環１０４の前側面１０４Ａは後側面１０４Ｂと異なる加工が施されてもよい。レンズ枠１００は固定部１１８に間隔環１０４の傾斜面１０４Ｃと嵌合する傾斜形状１１８Ｃが形成されており、レンズ枠１００に対して間隔環１０４の後側面１０４Ｂが第１のレンズ１０２に向くように正しい向きに取り付けると、レンズ枠１００の傾斜形状１１８Ｃと間隔環１０４の傾斜面１０４Ｃが当接して、間隔環１０４が所定位置まで挿入され、間隔環１０４の後側面１０４Ｂが第１のレンズ１０２の前側面１０２Ａに当接する。
【００３１】
レンズ枠１００に対して正しい向きに間隔環１０４が取り付けた状態で第２のレンズ１０６を取り付け、さらに第２のレンズ１０６の前側に押え環１０８を取り付けると、押え環１０８は、固定部１２０の前側面１２０Ａよりも後側へ引っ込んだ状態で、押え環１０８は固定部１２０の前側面１２０Ａよりも後側へ引っ込んだ位置に固定される。
【００３２】
一方、図７に示すように、間隔環１０４を反対向きに取り付けると、間隔環１０４の前側面１０２Ａが第１のレンズ１０２に向き、後側面１０４Ｂが第２のレンズ１０６に向いてしまう。間隔環１０４の前側面１０２Ａは面取り加工がされていない面（略垂直面）であり、レンズ枠１００の傾斜形状１１８Ｃと嵌合せず、間隔環１０４の前側面の角部が固定部１１８の傾斜形状１１８Ｃに突き当たってしまい、間隔環１０４を所定位置まで挿入することができない。そうすると、第１のレンズ１０２の前側面１０２Ａを間隔環１０４が支持することができないために、第１のレンズ１０２を固定部１１６に固定することができない。
【００３３】
また、間隔環１０４を反対向きに挿入した状態で第２のレンズ１０６及び押え環１０８がレンズ枠１００に組み付けられると、押え環１０８が固定部１２０の前側面１２０Ａよりも前側に出張ってしまうので、間隔環１０４を反対向きに組み付けたことを発見し得る。  レンズ枠１００の傾斜形状１１８Ｃの光軸方向の長さを、第１のレンズ１０２の外縁部の厚み（最小厚み）を超える値にすると、第１のレンズ１０２が固定部１１６から落下してしまうので、第２のレンズ１０６及び押え環１０８を取り付ける前に間隔環１０４を反対向きに組み付けたことを容易に発見し得る。
【００３４】
また、間隔環１０４を正しい向きに取り付けたときに、押え環１０８の前側面１０８Ａが固定部１２０の前側面１２０Ａから０．５ｍｍ程度引っ込んだ位置になり、間隔環１０４を反対向きに取り付けたときに、押え環１０８の前側面１０８Ａが固定部１２０の前側面１２０Ａから１．０ｍｍ程度出張った位置になるように、固定部１２０の光軸方向の長さを決めることで、押え環１０８が固定部１２０の前側面１２０Ａから引っ込んでいるか、出張っているかを目視や手で触ることで容易に確認することが可能となる。
【００３５】
間隔環１０４はアルミなどの金属材料が用いられ、表面に黒色のメッキ処理が施されるために目視による形状の確認が難しく、反対向きに挿入されることがあり得る。また、レンズ枠１００と間隔環１０４とは、取り付けガタが非常に小さくなるように構成されているので、間隔環１０４のレンズ枠１００への挿入する作業において間隔環１０４が反対向きに挿入されたことを発見することも難しい。したがって、組み立てが完了する前に間隔環１０４が反対向きに組み付けられたことを発見できると、分解及び再組み立ての手間を大幅に削減し得る。
【００３６】
〔ワイドコンバータの組み立て方法〕
次に、上述したワイドコンバータ１２の組み立て方法について説明する。図８は、ワイドコンバータ１２の分解斜視図である。以下の説明では、図５に示すレンズ枠１００の構造を適宜参照する。図５に示すレンズ枠１００の内部には、後側から順に第１のレンズ１０２が固定される固定部１１６、間隔環１０４及び第２のレンズ１０６が固定される固定部１１８、押え環１０８が固定される固定部１２０、第３のレンズ１１０が固定される固定部１２０、及び押え環１１２が固定される固定部１２２が設けられている。
【００３７】
レンズ枠１００の内部は、後側から前側へ順に直径が大きくなるように段差が設けられている。すなわち、固定部１１６と固定部１１８との間には段差がもうけられ、固定部１１８と固定部１２０との間、固定部１２０と固定部１２２との間、固定部１２２と固定部１２４との間にもそれぞれ段差が設けられている。
【００３８】
かかる構造を有するレンズ枠１００の前側から、第１のレンズ１０２が挿入され、次に間隔環１０４が挿入され、以降、第２のレンズ１０６、押え環１０８、第３のレンズ１１０、押え環１１２が順に挿入される。レンズ枠１００の内部に組みつけられる各部材は、接着剤によりレンズ枠１００の各固定部１１６〜１２４に固定される。レンズ枠１００の内部の組み立てが完了すると、レンズ枠１００の後側にアクセサリ側装着部１１４（図８中不図示、図３参照）が取り付けられる。
【００３９】
なお、本例に示すワイドコンバータ１２は、２つの異なる部材からなる２ピース構造を有しており、レンズ枠１００はアルミ等の金属部材で構成され、アクセサリ側装着部１１４はＡＢＳ樹脂等の樹脂部材で構成される。このような２ピース構造によれば、レンズを保持するために所定の強度を確保しつつ、全体的な軽量化を図ることができ、携帯性や操作性を向上させることが可能となる。
【００４０】
上記の如く構成されたワイドコンバータ１２によれば、第１のレンズ１０２と第２のレンズ１０６との間に設けられる間隔環１０４の後側面１０４Ｂに傾斜面１０４Ｃを備えるとともに、間隔環１０４の前側面１０４Ａは略垂直面とし、かつ、間隔環１０４が固定されるレンズ枠１００の固定部１１８に、間隔環１０４の後側面１０４Ｂにおける傾斜面１０４Ｃと嵌合する傾斜形状１１８Ｃが形成されるので、間隔環１０４を正しい向きに取り付けると間隔環１０４の傾斜面１０４Ｃとレンズ枠１００の傾斜形状１１８Ｃが嵌合して、間隔環１０４が所定位置に取り付けられ、一方、間隔環１０４を反対向きに取り付けると、間隔環１０４の前側面１０４Ａとレンズ枠１００の傾斜形状１１８Ｃが嵌合せずに、間隔環１０４を所定位置まで挿入することができない。したがって、組み立て途中で間隔環１０４が反対向きに取り付けられていることを発見することが可能となる。
【００４１】
また、間隔環１０４を正しい向きに取り付けたときに、第２のレンズ１０６の前側面１０６Ａを支持する押え環１０８が固定される固定部１２０の前側面１２０Ａよりも押え環１０８が後側へ引っ込み、かつ、間隔環１０４を反対向きに取り付けたときに、固定部１２０の前側面１２０Ａよりも間隔環１０４が出張るように固定部１２０の光軸方向の長さを決めることで、間隔環１０４が反対向きに取り付けられていることを目視や手で触ることで容易に発見することが可能となる。
【００４２】
〔撮影レンズとワイドコンバータとの着脱構造の説明〕
次に、本例に示すワイドコンバータ１２と撮影レンズのレンズ鏡胴１６（図１参照）との着脱構造について説明する。
【００４３】
図９は、レンズ鏡胴１６からワイドコンバータ１２を取り外した状態における、ワイドコンバータ１２のアクセサリ側装着部１１４と、レンズ鏡胴１６の先端部に設けられる鏡胴側装着部３０を拡大した拡大平面図である。また、図１０は、鏡胴側装着部３０の円筒部３２を拡大した拡大斜視図であり、図１１はアクセサリ側装着部１１４の円筒部１３０を拡大した斜視拡大図である。
【００４４】
なお、以下の説明においてレンズ鏡胴１６の中心軸（光軸）又はワイドコンバータ１２の中心軸から離れる方向を外側方向、該中心軸へ向かう方向を内側方向とし、所定の位置に対して外側方向の位置範囲を外側、外面側、外周側等といい、内側方向の位置範囲を内側、内面側、内周側等というものとする。
【００４５】
鏡胴側装着部３０は、レンズ鏡胴１６の先端部に円筒状に突出形成された円筒部３２と、円筒部３２の外周面上における等間隔の３か所に同一構造で形成された係合部３４と、を有している。図９に図示された係合部３４は３つの係合部のうちの１つである。円筒部３２は、係合部３４が設けられる部分以外において一様な（同一径の）円筒状の面（円筒面）を外周面として有している。以下において、円筒部３２の外周面又は円筒面という場合にはその一様な円筒面を示す。
【００４６】
鏡胴側装着部３０の係合部３４は、ガイド溝３６、係止溝３８を含んで構成されるとともに、ガイド溝３６と係止溝３８との連結部分に係止突起４０が設けられている。ガイド溝３６及び係止溝３８は、円筒部３２の外周面上に形成された凹状の溝であり、ガイド溝３６は円筒部３２の先端面３２Ａの位置から中心軸と略平行に形成され、係止溝３８はガイド溝３６の後端位置から周方向に形成されている。係止突起４０は、ガイド溝３６と係止溝３８の連結部分において、係止溝３８の底面から外側に凸となる形状を有し、ガイド溝３６側の面４０Ａがテーパ面（傾斜面）となっている。
【００４７】
一方、図９に示すように、アクセサリ側装着部１１４はワイドコンバータ１２の後端部に設けられた円筒部１３０と、円筒部１３０の内周面上において同一構造で形成された複数の凹部１３２と、各凹部１３２に配置された複数の係止爪１３４とを有している。同図に図示された凹部１３２及び係止爪１３４は複数の凹部及び係止爪のうちの１つである。また、アクセサリ側装着部１１４において実線で図示された部分は、円筒部１３０の内周面上での部材の輪郭を示す。
【００４８】
円筒部１３０は、鏡胴側装着部３０への装着時に鏡胴側装着部３０の円筒部３２の外周側に嵌合される。すなわち、アクセサリ側装着部１１４の円筒部１３０は、鏡胴側装着部３０の円筒部３２の外周面と略同一の直径の内周面を有している。なお、円筒部１３０は凹部１３２及び係止爪１３４が設けられる部分以外において一様な（同一径の）円筒状の面（円筒面）を内周面として有しており、以下の説明において、円筒部１３０の内周面又は円筒面という場合にはその一様な円筒面を示す。
【００４９】
図９及び図１１に示すように、凹部１３２は円筒部１３０の内周面において外側に凹状に窪む穴であり、上記鏡胴側装着部３０の係合部３４に対応した位置に形成されている。本例では、円筒部３２の周面上に３つの係合部３４が等間隔に配置されているので、アクセサリ側装着部１１４の円筒部１３０の内周面には、３つの凹部１３２が等間隔に配置されている。
【００５０】
凹部１３２に配置される係止爪１３４は、板状体１３８と係止突起１３６とから形成されている。板状体１３８は、円筒部１３０の内周面を形成する部材に一体形成されて凹部１３２内に突出配置されており、板状体１３８の内周側の面が円筒部１３０の内周面に沿うような形状及び位置に配置されている。また、板状体１３８の外周側の面は、凹部１３２のすべての壁面から離間しており、板状体１３８は、円筒部１３０の部材に連結された一端を基点にして弾性変形可能な状態に支持されている。
【００５１】
係止突起１３６は、板状体１３８の内周側の面に突出形成されており、円筒部１３０の内周面の位置よりも内側に突出した状態に配置される。係止突起１３６の高さ（突出量）は、ワイドコンバータ１２の中心軸と、レンズ鏡胴１６の中心軸とを一致させた状態において、鏡胴側装着部３０の円筒部３２の外周面よりも内側の位置に突出する高さに形成されている。係止突起１３６の周方向の長さ（幅）は、鏡胴側装着部３０の係止溝３８と略等しい長さ（幅）に形成されている。なお、鏡胴側装着部３０の係止溝３８の周方向の幅は、少なくとも係止爪１３４の係止突起１３６よりも大きな幅で形成されている。また、係止突起１３６の後端側の面１３６Ａと、係止爪１３４の基端側の面１３６Ｂはテーパ（傾斜）面で形成されている。
【００５２】
かかる構造を有する鏡胴側装着部３０とアクセサリ側装着部１１４との着脱機構によれば、以下の操作によってレンズ鏡胴１６にワイドコンバータ１２が装着される。まず、ワイドコンバータ１２の中心軸をレンズ鏡胴１６の中心軸に合わせ、ワイドコンバータ１２を中心軸について回転させてアクセサリ側装着部１１４に設けられた複数の係止爪１３４の係止突起１３６の位置と、レンズ鏡胴１６の鏡胴側装着部３０に設けられた複数の係合部３４のガイド溝３６の位置とを合致させる。このとき、アクセサリ側装着部１１４の係止爪１３４の外側への微小の弾性変形によって、鏡胴側装着部３０の円筒部３２のガイド溝３６に進入できる状態となる。なお、鏡胴側装着部３０の円筒部３２の先端面３２Ａと当接する係止爪１３４の係止突起１３６と面１３６Ａはテーパ面で形成されており、ガイド溝３６に進入しやすいようになっている。
【００５３】
次に、ワイドコンバータ１２をレンズ鏡胴１６側へ押し込むと、アクセサリ側装着部１１４の係止突起１３６が鏡胴側装着部３０のガイド溝３６を進行し、アクセサリ側装着部１１４の円筒部１３０が鏡胴側装着部３０の円筒部３２の外側に覆い被さる状態にはめ込まれる。そして、ワイドコンバータ１２をレンズ鏡胴１６側にそれ以上押し込むことができなくなるまで、即ち、アクセサリ側装着部１１４の係止突起１３６が、鏡胴側装着部３０のガイド溝３６の後端に到達するまで、ワイドコンバータ１２をレンズ鏡胴１６側に押し込む。
【００５４】
次に、ワイドコンバータ１２を前方から見て時計回りに回転可能な位置まで回転させる。このとき、アクセサリ側装着部１１４の係止突起１３６は、鏡胴側装着部３０の係合部３４のガイド溝３６と係止溝３８の間に設けられた係止突起４０に当接するが、係止爪１３４が外側に弾性変形することによって、係止突起４０を乗り越えた後、係止爪１３４が元の弾性変形の状態に戻ると共に、係止溝３８に嵌合した状態となる。なお、係止爪１３４の係止突起１３６に当接する係止突起４０の面４０Ａはテーパ面で形成されており、係止突起１３６の回転移動が完全に抑止されることなく適度な回転力を加えることによって係止突起４０を乗り越えられるようになっている。
【００５５】
以上の操作によって、前面アクセサリの係止爪１３４の係止突起１３６が、鏡胴側装着部３０の係合部３４の係止突起４０によって回転を規制された状態で固持されるとともに、係止溝３８の壁面によって前後方向への動きも規制され、ワイドコンバータ１２がレンズ鏡胴１６の先端に固定される。
【００５６】
ワイドコンバータ１２をレンズ鏡胴１６から取り外す場合には、ワイドコンバータ１２を反時計回りに回転させ、ワイドコンバータ１２の係止爪１３４を弾性変形させて係止突起１３６を鏡胴側装着部３０の係合部３４の係止突起４０を乗り越えさせた後、装着時とは逆の手順の操作を行う。係止突起４０に当接する係止爪１３４の係止突起１３６の面１３６Ｂはテーパ面で形成されており、係止突起１３６の回転移動が完全に抑止されることなく適度な回転力を加えることによって係止突起４０を乗り越えられるようになっている。
【００５７】
図１２は、鏡胴側装着部３０とアクセサリ側装着部１１４の装着状態において、レンズ鏡胴１６（及びワイドコンバータ１２）の中心軸を含み、かつ、アクセサリ側装着部１１４の係止爪１３４を通過する平面での断面図を示す。同図に示すようにアクセサリ側装着部１１４の円筒部１３０は、鏡胴側装着部３０の円筒部３２の外周側を覆う状態に嵌め込まれ、アクセサリ側装着部１１４の係止爪１３４の係止突起１３６が、鏡胴側装着部３０の係止溝３８に係合した状態となる。
【００５８】
このとき、鏡胴側装着部３０に対するアクセサリ側装着部１１４の前方向（図１２中左方向）への移動及びガタは、係止突起１３６の前側の面と係止溝３８の前側の面とが当接した状態となることにより規制される。
【００５９】
また、鏡胴側装着部３０に対するアクセサリ側装着部１１４の後方向（図１２中右方向）への移動及びガタは、アクセサリ側装着部１１４の円筒部１３０の後端が、鏡胴側装着部３０の円筒部３２の基端に環状に形成された隆起部３３に当接した状態となることにより規制される。一方、鏡胴側装着部３０に対するアクセサリ側装着部１１４の周方向への回転移動及びガタは、係止爪１３４の係止突起１３６の周方向の両端面が、図９及び図１０に示されている係止溝３８の端部と係止突起４０に当接した状態となることにより規制される。したがって、鏡胴側装着部３０とアクセサリ側装着部１１４とが装着された状態では、レンズ鏡胴１６に対してワイドコンバータ１２が規定の位置に固定されるとともに、容易には離脱しない状態に固定されるようになる。
【００６０】
ワイドコンバータ１２をレンズ鏡胴１６から取り外す場合には、装着時とは逆の手順の操作を行えばよく、前面アクセサリを前方から見て反時計回りに比較的大きな力で回転させて、前面アクセサリの係止突起１３６が鏡胴側装着部３０の係止突起４０を乗り越えるようにし、その後、ワイドコンバータ１２を前方に引き出せばよい。なお、係止爪１３４の係止突起１３６が係止溝３８に係止されている状態において係止突起４０に当接している係止突起１３６の面１３６Ｂはテーパ面で形成されているため、係止突起１３６の回転移動が完全に規制されることなく適度な回転力を加えることによって係止突起４０を乗り越えられるようになっている。
【００６１】
〔着脱機構のロック機構の説明〕
次に、図１３〜１７を用いて、先に説明した着脱機構に具備されるロック機構について説明する。金属部品や複数のレンズを備えたワイドコンバータ１２はレンズフードなど前面アクセサリと比較して重量が重く、上記の着脱機構のみでレンズ鏡胴１６に装着した場合には、振動、衝撃、加減速動作等によりレンズ鏡胴１６からワイドコンバータ１２が脱落する恐れがある。そこで、ワイドコンバータ１２のように重量の大きい前面アクセサリには、補助的にロック機構を具備する態様が好ましい。
【００６２】
図１３は、ワイドコンバータ１２のアクセサリ側装着部１１４の構成を示した斜視図であり、図１４、図１５は、ワイドコンバータ１２をレンズ鏡胴１６に装着した状態において、ワイドコンバータ１２の中心軸に直交し、且つ、ロック機構の位置を通過する平面での断面図である。
【００６３】
図１３に示すようにアクセサリ側装着部１１４を構成する円筒部１３０には上記着脱機構における構成部である凹部１３２及び係止爪１３４が略等間隔に３か所（鏡胴側装着部３０における係合部３４の配置も同様）に設けられており、そのうちの１つに隣接する位置にロック機構１８０が設けられている。
【００６４】
ロック機構１８０は、図１３〜図１５に示すように主としてナット保持枠１８２、操作ネジ１８４、ナット１８６、ストッパ収容孔１８８、ストッパ１９０から構成されている。ナット保持枠１８２は、円筒部１３０の外周面から外側に突出する状態に円筒部１３０と一体形成されており、内部にナット１８６を収容保持する空間（ナット収容部１９２）を有すると共に、ナット１８６に螺合する操作ネジ１８４のネジ部２０２を挿通する挿通孔１９３を有している。
【００６５】
また、ナット収容部１９２は、内部にナット１８６を挿入するための挿入口となる後面部分と、後述のストッパ収容孔１８８との連結部分が開口されている。ナット保持枠１８２の後面には、ネジ穴１９４、１９４が設けられており、ナット収容部１９２にナット１８６を挿入した後にそれらのネジ穴１９４、１９４に螺合されるビス１９６、１９６により、蓋部材１９８がナット保持枠１８２の後面全体を覆うようにして固定される。これによりナット１８６がナット収容部１９２内に保持されるようになっている。なお、ナット収容部１９２の周方向の幅は、六角ナットであるナット１８６の２面幅よりも大きく、対角距離よりも小さくなっており、ナット収容部１９２に収納されたナット１８６は軸周りの回転が規制される。
【００６６】
操作ネジ１８４は、ツマミ２００と、ネジ部２０２と、先端部２０３とを有している。ツマミ２００は、ネジ部２０２の頭部となる部分に設けられており、ネジ部２０２よりも拡径され、操作ネジ１８４を回転操作する際に操作者がつまむために上記ナット保持枠１８２の外側に配置される。ネジ部２０２は、ナット保持枠１８２の挿通孔１９３を挿通してのナット収容部１９２に収容されたナット１８６のネジ孔に螺合される。
【００６７】
先端部２０３は、ネジ部２０２よりも先端側に円柱状に突出して形成されており、後述のようにこの先端部２０３にストッパ１９０が回動可能に取り付けられる。ストッパ収容孔１８８は、円筒部１３０の内周面から外周面まで貫通する孔であり、円筒部１３０の後端面から前方に向けて徐々に周方向の幅が狭くなる形状を有している。なお、ストッパ収容孔１８８の形状は後述のストッパ１９０の形状に略等しい。このストッパ収容孔１８８にストッパ１９０が挿入された後、上記蓋部材１９８がナット保持枠１８２に装着されることにより、ストッパ収容孔１８８の後面側の開口も蓋部材１９８により覆われるようになっている。
【００６８】
ストッパ１９０は、上記のようにストッパ収容孔１８８に収容される。図１６は、ストッパ１９０のみを示した斜視図である。同図に示すようにストッパ１９０は、前壁２０４、後壁２０６、側壁２０８、上壁２１０により立体形状を構成しており、各々、隣接する壁と略直交している。なお、前壁２０４と後壁２０６の長さ（上壁２１０に沿った方向の長さ）は相違しており、前壁２０４より後壁２０６の方が長くなっている。そして、このストッパ１９０をストッパ収容孔１８８に収容する場合には、ストッパ収容孔１８８の形状に合わせて、前壁２０４をストッパ収容孔１８８の前方側、後壁２０６をストッパ収容孔１８８の後方側、上壁２１０をストッパ収容孔１８８の外側に向けて挿入される。
【００６９】
また、ストッパ１９０の上壁２１０には操作ネジ１８４の先端部２０３を挿通する挿通孔２１２が形成されている。そして、図１４、図１５のようにストッパ１９０の上壁２１０と操作ネジ１８４のネジ部２０２の先端との間にワッシャ２３０を挟み込んだ状態でＣ型止め輪２３２に操作ネジ１８４の先端部２０３が挿通され、上壁２１０の内側において先端部２０３にＣ型止め輪２３２が取り付けられる。これにより操作ネジ１８４の先端部２０３にストッパが回動可能に取り付けられるようになっている。
【００７０】
さらに、ストッパ１９０の前壁２０４、後壁２０６の各々の端面２１４、２１６（図１６参照）には、段差が形成され、それらの端面２１４，２１６に略直交する同一平面上に係止面２１８、２２０が形成されている。そして、係止面２１８、２２０を含む平面を境にして、図１４、図１５のように下側に突出した端面部２２２と上側に凹んだ端面部２２４とが形成されている。これらの係止面２１８、２２０は、後述のようにロック機構１８０をロック状態にした際に、鏡胴側装着部３０のガイド溝３６の壁面（立壁）３６Ａ付近に配置されるようになっている。
【００７１】
かかる構成を有するロック機構１８０の作用について図１４及び図１５を用いて説明すると、操作ネジ１８４のツマミ２００を所定方向に回転させると、ナット収容部１９２に保持されたナット１８６と操作ネジ１８４のネジ部２０２との作用により操作ネジ１８４が外側又は内側（図中上下方向）に移動する。これによって操作ネジ１８４の先端部２０３に取り付けられたストッパ１９０も上下方向に移動する。図９のようにストッパ１９０を上昇させてストッパ１９０の端面２１４、２１６を、鏡胴側装着部３０の円筒部３２の外周面から離間させた状態がロック解除状態である。上記着脱機構により、アクセサリ側装着部１１４を鏡胴側装着部３０に装着する際、又は、取り外す際には、ロック機構１８０をロック解除状態に設定しておく。
【００７２】
一方、アクセサリ側装着部１１４を鏡胴側装着部３０に装着した場合、即ち、アクセサリ側装着部１１４の係止爪１３４の係止突起１３６が、鏡胴側装着部３０の係止溝３８に係合した状態の場合に図１０のように操作ネジ１８４を回転させてストッパ１９０を下降させる。ストッパ１９０は、上記のように前壁２０４と後壁２０６の端面２１４、２１６に形成された段差（係止面２１８、２２０）を境にして、下側に突出した端面部２２２と、その端面部２２２よりも上側に凹んだ端面部２２４とを有している。ストッパ１９０を下降させていくと、端面部２２２が、鏡胴側装着部３０における円筒部３２のガイド溝３６の外側（円筒部３２の外周面上）に配置された状態で、端面部２２２がガイド溝３６内の底面に当接する。そして、係止面２１８、２２０がガイド溝３６の壁面３６Ａ付近に配置される。これによりロック機構１８０は、ロック状態に設定される。図１７は、ロック状態におけるストッパ１９０とガイド溝３６との係合状態を示した斜視図である。同図のようにロック状態では、ガイド溝３６における前後方向の壁面のうち係止溝３８が設けられない方の壁面３６Ａに、ストッパ１９０の係止面２１８、２２０（図１６参照）が係合するように固定され、ストッパ１９０の係止面２１８、２２０がガイド溝３６の壁面３６Ａに当接する方向へのアクセサリ側装着部１１４の回転が規制される。
【００７３】
この回転方向は、アクセサリ側装着部１１４の係止爪１３４の係止突起１３６を鏡胴側装着部３０の係止溝３８からガイド溝３６へと移動させてワイドコンバータ１２をレンズ鏡胴１６から取り外す場合の回転方向であり、ロック機構１８０がロック状態でなければ、比較的容易に回転する回転方向である。従って、その回転がロック機構１８０のロック状態によって規制されることにより、レンズ鏡胴１６へのワイドコンバータ１２の装着が強固に保持され、ワイドコンバータ１２の不測の脱落が防止されるようになっている。
【００７４】
また、このときロック機構１８０のストッパ１９０を鏡胴側装着部３０の円筒部３２に押圧することによって装着力を増加させているのではなく、主としてワイドコンバータ１２の回転を規制するためであるため、ストッパ１９０を円筒部３２に押し当てる必要はなく、アクセサリ側装着部１１４の円筒部１３０の撓み等による精度の悪化なども生じない。また、ストッパ１９０によってワイドコンバータ１２の周方向以外の方向への動きも規制させるため、上記装着機構による装着状態が強化され、周方向以外の方向への振動や衝撃等に対してもワイドコンバータ１２の脱落を防止する効果がある。
【００７５】
なお、鏡胴側装着部３０の複数の係合部３４（ガイド溝３６及び係止溝３８）と、アクセサリ側装着部１１４の複数の係止爪１３４を、周方向に等間隔に設けるようにした場合には、ロック機構１８０に隣接する係止爪１３４を所望の位置の係止溝３８に係合させることが可能であり、その場合には、ロック機構１８０が駆動ユニット１８（図１参照）の近傍に配置されるような回転位置でワイドコンバータ１２をレンズ鏡胴１６に装着すれば、ロック機構１８０が撮影操作等を阻害しない（操作者が意図せずに接触しない）ようにすることができる。もし、ワイドコンバータ１２をレンズ鏡胴１６に装着する回転位置が決まっている場合には駆動ユニット１８の近傍となる係止爪１３４の近傍にロック機構１８０を設ければよい。
【００７６】
また、上記実施の形態では、ロック機構１８０をロック状態にしたときにストッパ１９０の一部がガイド溝３６の底面に当接するようにしたが、ストッパ全体がガイド溝３６の底面に当接するような構造であってもよい。
【００７７】
また、上記実施の形態では、ロック機構１８０をワイドコンバータに設けた場合を示したが、すべての種類の前面アクセサリに設けてもよい。ただし、コストアップ等の問題があるため、重量の軽いレンズフード等のような前面アクセサリにはロック機構を設けず、ワイドコンバータ、テレコンバータ、レシオコンバータのように重量の重い前面アクセサリにのみロック機構を設けると好適である。
【００７８】
〔着脱機構における衝撃分散構造の説明〕
次に、上述した着脱機構に設けられる衝撃分散構造について説明する。
【００７９】
本例に示すワイドコンバータ１２のように、金属製のレンズ枠１００と樹脂製の円筒部３２とからなる２ピース構造を有する前面アクセサリでは、レンズフードなどの前面アクセサリと比較して重量が大きく、円筒部３２を構成する樹脂は金属に比べて剛性及び寸法精度が低い。このため、上記の着脱機構のみでレンズ鏡胴１６に装着した場合には、ワイドコンバータ１２の着脱機構に径方向の外力が加えられると、当該外力による衝撃が分散されずに、アクセサリ側装着部１１４の円筒部３２が変形してしまい、ワイドコンバータ１２とレンズ鏡胴１６との間にガタが発生しやすく、ワイドコンバータ１２とレンズ鏡胴１６との光軸に位置ずれが生じ、フォーカス精度の低下を招いてしまう。最悪の場合には、レンズ鏡胴１６から脱落してワイドコンバータ１２を破損してしまう恐れがある。
【００８０】
そこで本実施形態では、ワイドコンバータ１２の着脱機構に加えられた衝撃を分散させるための構造（衝撃分散構造）が設けられている。
【００８１】
具体的には、図３、４に示すように、金属製のレンズ枠１００の内周面における後端部（鏡胴側装着部３０の円筒部３２とのオーバーラップ領域に対応する位置）に周方向全体にわたって内側に突出する円環状の突出部１２９が設けられている。この突出部１２９は衝撃吸収構造の構成要素であり、アクセサリ側装着部１１４の円筒部３２の内周面よりも内側に僅かに突出して形成される。
【００８２】
突出部１２９は、レンズ枠１００と一体的に形成された金属部材で構成されており、外力Ｆが加えられていない場合には、突出部１２９の先端面と鏡胴側装着部３０の円筒部３２の外周面との間に僅かなクリアランスが高精度に設けられている。なお、前記クリアランスは、アクセサリ側装着部１１４の円筒部３２の内周面と鏡胴側装着部３０の円筒部３２の外周面とのクリアランスより狭くなっている。
【００８３】
かかる構成により、径方向の外力が加えられると、鏡胴側装着部３０の円筒部３２の外周面にレンズ枠１００の後端部に形成される突出部１２９が当接する。これにより、アクセサリ側装着部１１４の円筒部３２の変形が防止されるとともに、外力による衝撃が突出部１２９を通じてレンズ鏡胴１６に分散され、突出部１２９が設けられない場合に比べて前面アクセサリとレンズ鏡胴１６との間に発生するガタが抑えられ、前面アクセサリとレンズ鏡胴１６との光軸の位置ずれを防止することができる。その結果、前面アクセサリの脱落も防止することが可能となる。
【００８４】
なお、本実施形態では、レンズ枠１００の内周面の周方向全体にわたって突出部１２９が形成される態様が好ましく採用されるが、これに限らず、複数の突出部１２９が周方向に沿って所定間隔をあけて等間隔に形成されていてもよい。
【００８５】
本例では、本発明の一態様として光学アクセサリ（ワイドコンバータ）を例示したが、本発明は光学アクセサリに限定されず、複数の固定レンズを具備し、該複数の固定レンズの間に間隔環が設けられる構造を有するレンズ装置に広く適用することができる。
【００８６】
また、本例では、３つのレンズを備えたワイドコンバータを例示したが、２つのレンズの光軸方向の間隔を決めるための間隔環を少なくとも１つ備えるレンズ装置や光学アクセサリに広く適用することが可能である。さらに、本発明の適用範囲は前面アクセサリ（フロントコンバータ）に限定されず、撮影レンズの後側（撮影レンズとカメラの間や、撮影レンズと撮影レンズとの間）に取り付けられるリアコンバータ等の光学アクセサリにも適用可能である。
【００８７】
〔付記〕
上記に詳述した発明の実施形態についての記載から把握されるとおり、本明細書は少なくとも以下に示す発明を含む多様な技術思想の開示を含んでいる。
【００８８】
（発明１）：複数のレンズが光軸方向に並ぶように固定される内部構造を有するレンズ枠と、前記レンズ枠に固定される第１のレンズと、前記レンズ枠に固定される第２のレンズと、前記第１のレンズと前記第２のレンズとの光軸方向における間隔を決めるために前記第１のレンズと前記第２のレンズとの間に設けられる間隔環と、を備え、  前記間隔環は、前記第１のレンズを支持する第１の面の前記レンズ枠に支持される位置に傾斜部が設けられるとともに、前記第２のレンズを支持する第２の面が前記レンズ枠の前記第１の面を支持する位置の形状と異なる形状を有し、前記レンズ枠は、前記間隔環の第１の面を支持する位置に前記第１の面の傾斜部に対応する形状が設けられることを特徴とするレンズ装置。
【００８９】
本発明によれば、第１のレンズと第２のレンズとの光軸方向における間隔を決めるための間隔環の第１のレンズを支持する第１の面に傾斜面が設けられるとともに、レンズ枠の間隔環の第１の面と当接する位置に該第１の面に設けられる傾斜面に対応する傾斜形状が設けられるので、間隔環を反対向きに挿入すると第１のレンズが固定されず、間隔環が反対向きに挿入されたことが認識される。
【００９０】
また、間隔環を反対向きでレンズ枠に取り付けたときには、レンズ枠と間隔環がはめ合わされないので、間隔環が反対向きに取り付けられたことを容易に発見することが可能となる。
【００９１】
第２の面は、特別な加工が施されない略垂直面とする態様がある。
【００９２】
（発明２）：発明１に記載のレンズ装置において、前記レンズ枠の前記間隔環の第１の面を支持する位置の形状は、前記第１の面の傾斜部と嵌合する傾斜形状であることを特徴とする。
【００９３】
かかる態様によれば、間隔環を所定の向きでレンズ枠に取り付けたときには、レンズ枠の傾斜形状と間隔環の傾斜部がはめ合わされて、間隔環はレンズ枠内の所定位置に固定される。
【００９４】
間隔環の傾斜部は、面取り加工により形成される態様が好ましい。
【００９５】
また、前記間隔環の第１の面における傾斜面の光軸方向の長さは、第１のレンズの光軸方向の最小厚み以上である態様が好ましい。
【００９６】
かかる態様によれば、間隔環を反対向きでレンズ枠に取り付けたときには、レンズ枠から第１のレンズが落下するので、間隔環が反対向きに取り付けられたことをより容易に発見することが可能である。
【００９７】
また、前記第２のレンズの間隔環により支持される面の反対側面を支持する押え環を備え、前記レンズ枠は、前記押え環を固定する固定部を具備するとともに、前記間隔環を所定の向きに取り付けたときに前記固定部よりも前記押え環が引っ込む構造を有する態様が好ましい。
【００９８】
かかる態様によれば、第２のレンズを取り付けた後に第２のレンズを支持する押え環を取り付けた際に、間隔環が所定の向きに取り付けられたことを確認することができる。
【００９９】
かかる態様において、間隔環が反対向きに取り付けられたときに押え環が該押え環の固定部よりも出張るようにレンズ枠を構成する態様が好ましい。
【０１００】
（発明３）：複数のレンズが光軸方向に並ぶように固定される内部構造を有するとともに、レンズ装置に取り付けるための取付部を具備するレンズ枠と、前記レンズ枠に固定される第１のレンズと、前記レンズ枠に固定される第２のレンズと、前記第１のレンズと前記第２のレンズとの光軸方向における間隔を決めるために前記第１のレンズと前記第２のレンズとの間に設けられる間隔環と、を備え、前記間隔環は、前記第１のレンズを支持する第１の面の前記レンズ枠に支持される位置に傾斜部が設けられるとともに、前記第２のレンズを支持する第２の面が前記レンズ枠の前記第１の面を支持する位置の形状と異なる形状を有し、前記レンズ枠は、前記間隔環の第１の面を支持する位置に前記第１の面の傾斜部に対応する形状が設けられることを特徴とする光学アクセサリ。
【０１０１】
本発明に係る光学アクセサリには、撮影レンズの被写体側（前側）に取り付けられるフロントコンバータ（フロントコンバージョンレンズ）や、撮影レンズの像側（後側）に取り付けられるリアコンバータ（リアコンバージョンレンズ）が含まれる。フロントコンバータの一例として、ワイドコンバータやテレコンバータ、レシオコンバータなどが挙げられる。
【符号の説明】
【０１０２】
１０…撮影レンズ、１２…ワイドコンバータ、１００…レンズ枠、１０２…第１のレンズ、１０４…間隔環、１０６…第２のレンズ、１１４…アクセサリ側装着部
【図１】
2011221300.tif 000003
【図２】
2011221300.tif 000004
【図３】
2011221300.tif 000005
【図４】
2011221300.tif 000006
【図５】
2011221300.tif 000007
【図６】
2011221300.tif 000008
【図７】
2011221300.tif 000009
【図８】
2011221300.tif 000010
【図９】
2011221300.tif 000011
【図１０】
2011221300.tif 000012
【図１１】
2011221300.tif 000013
【図１２】
2011221300.tif 000014
【図１３】
2011221300.tif 000015
【図１４】
2011221300.tif 000016
【図１５】
2011221300.tif 000017
【図１６】
2011221300.tif 000018
【図１７】
2011221300.tif 000019